(57)【要約】【課題】フレームやホルダの構成を複雑化することなく、複数の光の像面での副走査方向のピッチを調整することができる光走査装置、光走査装置の製造方法および画像形成装置を提供する。【解決手段】光走査装置は、複数の発光部を有する半導体レーザ１１０と、半導体レーザ１１０を保持するホルダ１４０と、半導体レーザ１１０からの光を偏向する偏向装置と、偏向装置で偏向された光を像面に結像する走査光学系と、ホルダ１４０を支持するフレーム５０とを備える。フレーム５０は、ホルダ１４０を支持するホルダ支持部５０Ｆを有する。ホルダ１４０は、半導体レーザ１１０の光軸方向と直交する方向でホルダ支持部５０Ｆに支持される第１被支持部１４０Ａおよび第２被支持部１４０Ｂを有し、第１被支持部１４０Ａおよび第２被支持部１４０Ｂの少なくとも一方とホルダ支持部５０Ｆとの間に間隔調整部材５９が配置された状態でフレーム５０に固定されている。【選択図】図５
2017126006.tif 000002
【特許請求の範囲】
【請求項１】
複数の発光部を有する光源と、
前記光源を保持するホルダと、
前記光源から出射された光を偏向する偏向装置と、
前記偏向装置で偏向された光を像面に結像する走査光学系と、
前記ホルダ、前記偏向装置および前記走査光学系を支持するフレームと、を備え、
前記フレームは、前記ホルダを支持するホルダ支持部を有し、
前記ホルダは、前記光源の光軸方向と直交する方向で前記ホルダ支持部に支持される第１被支持部および第２被支持部を有し、前記第１被支持部および前記第２被支持部の少なくとも一方と前記ホルダ支持部との間に間隔調整部材が配置された状態で前記フレームに固定されていることを特徴とする光走査装置。
【請求項２】
前記第１被支持部と前記第２被支持部は、前記光軸方向から見た前記光源の中心から異なる方向に等距離離れていることを特徴とする請求項１に記載の光走査装置。
【請求項３】
前記第１被支持部と前記第２被支持部は、前記第１被支持部と前記第２被支持部の両方に接する平面が前記光源を通る位置に設けられていることを特徴とする請求項１または請求項２に記載の光走査装置。
【請求項４】
前記ホルダは、前記第１被支持部および前記第２被支持部に設けられた穴を通る締結部材によって前記フレームに固定されていることを特徴とする請求項１から請求項３のいずれか１項に記載の光走査装置。
【請求項５】
前記間隔調整部材は、前記締結部材が通る穴を有することを特徴とする請求項４に記載の光走査装置。
【請求項６】
前記ホルダ支持部には、前記間隔調整部材が配置される凹部が形成されていることを特徴とする請求項１から請求項５のいずれか１項に記載の光走査装置。
【請求項７】
前記光源は、筒状の外装を有し、当該外装が前記ホルダに形成された貫通穴に圧入されていることを特徴とする請求項１から請求項６のいずれか１項に記載の光走査装置。
【請求項８】
前記外装は、外周面に前記光軸方向に延びる凹部を有し、
前記ホルダは、前記貫通穴の内周面から突出する凸部を有し、
前記凹部と前記凸部は、係合していることを特徴とする請求項７に記載の光走査装置。
【請求項９】
前記ホルダは、金属製であることを特徴とする請求項１から請求項８のいずれか１項に記載の光走査装置。
【請求項１０】
前記光源と接続された回路基板を備え、
前記ホルダは、前記回路基板を保持することを特徴とする請求項１から請求項９のいずれか１項に記載の光走査装置。
【請求項１１】
前記光源から出射された光を光ビームに変換するカップリングレンズを備え、
前記ホルダは、前記カップリングレンズを保持することを特徴とする請求項１から請求項１０のいずれか１項に記載の光走査装置。
【請求項１２】
複数の発光部を有する光源と、前記光源を保持するホルダと、前記光源から出射された光を偏向する偏向装置と、前記偏向装置で偏向された光を像面に結像する走査光学系と、前記ホルダ、前記偏向装置および前記走査光学系を支持するフレームと、を備え、前記フレームが、前記ホルダを支持するホルダ支持部を有し、前記ホルダが、前記光源の光軸方向と直交する方向で前記ホルダ支持部に支持される第１被支持部および第２被支持部を有する光走査装置の製造方法であって、
前記光源を前記ホルダに組み付ける工程と、
前記ホルダ支持部と前記複数の発光部のうち２つを結んだ直線とがなす角度に相関する値を測定する工程と、
測定した値に基づいて間隔調整部材を複数の中から選択する工程と、
選択した間隔調整部材を前記第１被支持部または前記第２被支持部と前記ホルダ支持部との間に配置する工程と、
前記ホルダを前記フレームに固定する工程と、を含むことを特徴とする光走査装置の製造方法。
【請求項１３】
感光体と、
複数の発光部を有する光源と、
前記光源を保持するホルダと、
前記光源から出射された光を偏向する偏向装置と、
前記偏向装置で偏向された光を前記感光体に結像する走査光学系と、
前記ホルダ、前記偏向装置および前記走査光学系を支持するフレームと、を備え、
前記フレームは、前記ホルダを支持するホルダ支持部を有し、
前記ホルダは、前記光源の光軸方向と直交する方向で前記ホルダ支持部に支持される第１被支持部および第２被支持部を有し、前記第１被支持部および前記第２被支持部の少なくとも一方と前記ホルダ支持部との間に間隔調整部材が配置された状態で前記フレームに固定されていることを特徴とする画像形成装置。
【発明の詳細な説明】
【技術分野】
【０００１】
本発明は、光走査装置、光走査装置の製造方法および画像形成装置に関する。
【背景技術】
【０００２】
従来から、複数の光を出射して同一の像面上で走査する光走査装置が知られている。例えば、特許文献１には、２つの光源と当該２つの光源を保持するホルダとによって構成された光源ユニットと、光源ユニットが取り付けられるフレームとを備えた光走査装置が開示されている。特許文献１の光走査装置は、ホルダの凸部がフレームの開口に対して回動自在に嵌合され、フレームに挿通された調整ネジによってホルダを回転させることで、光源から出射される２つの光の像面での副走査方向のピッチを調整することができるようになっている。
【先行技術文献】
【特許文献】
【０００３】
【特許文献１】特開２００２−１８２１４１号公報
【発明の概要】
【発明が解決しようとする課題】
【０００４】
ところで、従来技術は、ホルダに凸部を設けたり、フレームにホルダの凸部が嵌合する開口や送りネジ機構を設けたりする必要があったので、複数の光の像面での副走査方向のピッチを調整するための構成が複雑であった。
【０００５】
本発明は、以上の背景に鑑みてなされたものであり、フレームやホルダの構成を複雑化することなく、複数の光の像面での副走査方向のピッチを調整することができる光走査装置、光走査装置の製造方法および画像形成装置を提供することを目的とする。
【課題を解決するための手段】
【０００６】
前記した目的を達成するため、本発明の光走査装置は、複数の発光部を有する光源と、光源を保持するホルダと、光源から出射された光を偏向する偏向装置と、偏向装置で偏向された光を像面に結像する走査光学系と、ホルダ、偏向装置および走査光学系を支持するフレームと、を備える。
フレームは、ホルダを支持するホルダ支持部を有する。
ホルダは、光源の光軸方向と直交する方向でホルダ支持部に支持される第１被支持部および第２被支持部を有し、第１被支持部および第２被支持部の少なくとも一方とホルダ支持部との間に間隔調整部材が配置された状態でフレームに固定されている。
【０００７】
また、前記した目的を達成するため、本発明の光走査装置の製造方法は、複数の発光部を有する光源と、光源を保持するホルダと、光源から出射された光を偏向する偏向装置と、偏向装置で偏向された光を像面に結像する走査光学系と、ホルダ、偏向装置および走査光学系を支持するフレームと、を備え、フレームが、ホルダを支持するホルダ支持部を有し、ホルダが、光源の光軸方向と直交する方向でホルダ支持部に支持される第１被支持部および第２被支持部を有する光走査装置の製造方法である。
この光走査装置の製造方法は、光源をホルダに組み付ける工程と、ホルダ支持部と複数の発光部のうち２つを結んだ直線とがなす角度に相関する値を測定する工程と、測定した値に基づいて間隔調整部材を複数の中から選択する工程と、選択した間隔調整部材を第１被支持部または第２被支持部とホルダ支持部との間に配置する工程と、ホルダをフレームに固定する工程と、を含む。
【０００８】
また、前記した目的を達成するため、本発明の画像形成装置は、感光体と、複数の発光部を有する光源と、光源を保持するホルダと、光源から出射された光を偏向する偏向装置と、偏向装置で偏向された光を感光体に結像する走査光学系と、ホルダ、偏向装置および走査光学系を支持するフレームと、を備える。
フレームは、ホルダを支持するホルダ支持部を有する。
ホルダは、光源の光軸方向と直交する方向でホルダ支持部に支持される第１被支持部および第２被支持部を有し、第１被支持部および第２被支持部の少なくとも一方とホルダ支持部との間に間隔調整部材が配置された状態でフレームに固定されている。
【０００９】
以上によれば、ホルダの第１被支持部や第２被支持部とフレームのホルダ支持部との間に間隔調整部材を配置することで、ホルダ支持部に対する光源の光軸回りの角度を調整できるので、光源から出射される複数の光の像面での副走査方向のピッチを調整することができる。これにより、フレームやホルダの構成を複雑化することなく、複数の光の像面での副走査方向のピッチを調整することができる。
【発明の効果】
【００１０】
本発明によれば、フレームやホルダの構成を複雑化することなく、複数の光の像面での副走査方向のピッチを調整することができる。
【図面の簡単な説明】
【００１１】
【図１】実施形態に係る画像形成装置の構成を示す図である。
【図２】実施形態に係る光走査装置の平面図である。
【図３】図２のＩ−Ｉ断面図である。
【図４】一実施形態に係る光源装置の斜視図（ａ）と、半導体レーザの正面図（ｂ）である。
【図５】分解して示した光源装置と、間隔調整部材と、フレームの一部を示す斜視図である。
【図６】半導体レーザが圧入された状態のホルダの正面図である。
【図７】第１被支持部とホルダ支持部との間に間隔調整部材が配置されてフレームに固定された状態の光源装置を正面から見た図（ａ）と、光ビームのピッチ調整を説明する図（ｂ）である。
【図８】第２被支持部とホルダ支持部との間に間隔調整部材が配置されてフレームに固定された状態の光源装置を正面から見た図（ａ）と、光ビームのピッチ調整を説明する図（ｂ）である。
【図９】他の実施形態に係る、分解して示した光源装置と、間隔調整部材と、フレームの一部を示す斜視図である。
【図１０】他の実施形態に係る、半導体レーザが圧入された状態のホルダの正面図（ａ）と、フレームに固定された状態の光源装置を正面から見た図（ｂ）である。
【発明を実施するための形態】
【００１２】
次に、発明の一実施形態について、適宜図面を参照しながら詳細に説明する。なお、以下の説明において、方向は、図１における紙面に向かって右側を「前」、紙面に向かって左側を「後」とし、紙面に向かって手前側を「左」、紙面に向かって奥側を「右」とする。また、図１における紙面に向かって上下方向を「上下」とする。
【００１３】
図１に示すように、画像形成装置の一例としてのカラーレーザプリンタ１は、本体筐体２と、給紙部３と、画像形成部４とを主に備えている。
【００１４】
給紙部３は、本体筐体２内の下部に設けられ、用紙Ｓを収容する給紙トレイ３１と、用紙押圧板３２と、給紙機構３３とを主に備えている。給紙部３は、給紙トレイ３１内の用紙Ｓを用紙押圧板３２によって上方に寄せ、給紙機構３３によって１枚ずつ分離して画像形成部４に供給する。
【００１５】
画像形成部４は、光走査装置５と、プロセスユニット６と、転写ユニット７と、定着装置８とを主に備えている。
【００１６】
光走査装置５は、本体筐体２内の上部に配置されている。詳細については後述するが、光走査装置５は、一点鎖線で示す、画像データに基づく光ビームを、感光体の一例としての感光体ドラム６１の表面で走査することで、感光体ドラム６１を露光する。
【００１７】
プロセスユニット６は、給紙トレイ３１と光走査装置５の間に配置され、前後に配列された４つの感光体ドラム６１と、各感光体ドラム６１に対し１つずつ設けられた帯電器６２および現像カートリッジ６３とを主に備えている。各現像カートリッジ６３は、それぞれ、現像ローラ６４や供給ローラ６５、層厚規制ブレード６６、トナーを収容する収容部６７などを備え、本体筐体２に対して着脱可能に装着されるように構成されている。
【００１８】
カラーレーザプリンタ１は、イエロー、マゼンタ、シアンおよびブラックの各色のトナーを収容する現像カートリッジ６３Ｙ，６３Ｍ，６３Ｃ，６３Ｋが、前側からこの順で並んで配置されており、用紙Ｓにカラー画像を形成可能に構成されている。
【００１９】
転写ユニット７は、給紙トレイ３１とプロセスユニット６との間に配置され、駆動ローラ７１と、従動ローラ７２と、搬送ベルト７３と、転写ローラ７４とを主に備えている。搬送ベルト７３は、駆動ローラ７１と従動ローラ７２の間に張設された無端状のベルトであり、感光体ドラム６１に対向して配置されている。転写ローラ７４は、感光体ドラム６１に対応して４つ設けられ、対応する感光体ドラム６１との間で搬送ベルト７３を挟むように配置されている
【００２０】
定着装置８は、プロセスユニット６の後方に配置され、加熱ローラ８１と、加熱ローラ８１に対向して配置されて加熱ローラ８１を押圧する加圧ローラ８２とを主に備えている。
【００２１】
画像形成部４は、感光体ドラム６１の表面を、帯電器６２によって一様に帯電し、光走査装置５からの光ビームによって露光することで、感光体ドラム６１上に静電潜像を形成する。次に、画像形成部４は、現像カートリッジ６３からトナーを感光体ドラム６１上に形成された静電潜像に供給することで、静電潜像を可視像化し、感光体ドラム６１上にトナー像を形成する。
【００２２】
その後、画像形成部４は、給紙部３から供給された用紙Ｓを、感光体ドラム６１と転写ローラ７４の間で搬送することで、感光体ドラム６１上に形成されたトナー像を用紙Ｓに転写する。そして、画像形成部４は、トナー像が転写された用紙Ｓを、加熱ローラ８１と加圧ローラ８２の間で搬送することで、トナー像を熱定着する。トナー像が熱定着された用紙Ｓは、搬送ローラ２３や排出ローラ２４によって排紙トレイ２２に排出される。
【００２３】
次に、光走査装置５の詳細な構成について説明する。なお、以下の説明において、「主走査方向」とは、像面としての感光体ドラム６１の表面での光の走査方向をいうものとし、本実施形態では、左右方向に相当する。また、「副走査方向」とは、主走査方向および光の進行方向の両方に直交する方向をいうものとする。
【００２４】
図２および図３に示すように、光走査装置５は、フレーム５０と、光源装置５１と、反射鏡５２と、第１シリンドリカルレンズ５３と、偏向装置の一例としてのポリゴンミラー５４と、走査光学系の一例としてのｆθレンズ５５、第２シリンドリカルレンズ５６および反射鏡５７とを主に備えている。
【００２５】
図２に示すように、光源装置５１（５１１〜５１４）は、光ビームＢ１〜Ｂ４を出射する装置であり、光走査装置５が露光する４つの感光体ドラム６１に対応して４つ設けられている。光源装置５１２と光源装置５１３は、左右方向に並んで配置されており、光源装置５１１と光源装置５１４は、左右方向において互いに向かい合った状態で、出射する光ビームＢ１，Ｂ４が、光源装置５１２，５１３が出射する光ビームＢ２，Ｂ３に対して略直交するように配置されている。光源装置５１の詳細な構成については後述する。
【００２６】
反射鏡５２は、一点鎖線で示す、光源装置５１１，５１４から出射された光ビームＢ１，Ｂ４をポリゴンミラー５４に向けて反射する部材であり、光源装置５１２，５１３とポリゴンミラー５４との間に配置されている。なお、破線で示す、光源装置５１２，５１３から出射された光ビームＢ２，Ｂ３は、反射鏡５２の上を通過してポリゴンミラー５４に入射する。
【００２７】
第１シリンドリカルレンズ５３は、ポリゴンミラー５４の面倒れを補正するため、光ビームＢ１〜Ｂ４を副走査方向に収束し、ポリゴンミラー５４の反射面上で主走査方向に長い線状に結像するレンズである。第１シリンドリカルレンズ５３は、反射鏡５２とポリゴンミラー５４との間に配置されている。なお、フレーム５０の、反射鏡５２と第１シリンドリカルレンズ５３との間に設けられた壁５０Ｃには、破線で示す複数の開口が設けられている。この開口は、通過する光ビームＢ１〜Ｂ４の上下および左右の幅を規定する。
【００２８】
ポリゴンミラー５４は、６つの反射面を有し、反射面が回転軸を中心に一定速度で回転することで、第１シリンドリカルレンズ５３を通過した光ビームＢ１〜Ｂ４を反射して主走査方向に偏向する。ポリゴンミラー５４は、フレーム５０のほぼ中央に配置されている。
【００２９】
ｆθレンズ５５は、ポリゴンミラー５４によって等角速度で走査するように偏向された光ビームＢ１〜Ｂ４を感光体ドラム６１の表面で主走査方向に等速度で走査するように変換するレンズであり、ポリゴンミラー５４の前後に１つずつ設けられている。
【００３０】
第２シリンドリカルレンズ５６は、ポリゴンミラー５４の面倒れを補正するため、光ビームＢ１〜Ｂ４を副走査方向に収束し、感光体ドラム６１の表面に結像するレンズである。第２シリンドリカルレンズ５６は、４つの光源装置５１１〜２０Ｄから出射される光ビームＢ１〜Ｂ４に対応して４つ設けられている。
【００３１】
反射鏡５７は、ｆθレンズ５５や第２シリンドリカルレンズ５６を通過した光ビームＢ２，Ｂ３を反射し、感光体ドラム６１の表面に導く部材である。
【００３２】
フレーム５０は、光源装置５１やポリゴンミラー５４、ｆθレンズ５５、第２シリンドリカルレンズ５６、反射鏡５７などを支持する部材である。フレーム５０は、光源装置５１などを支持する下側の壁である支持壁５０Ａを主に有している。支持壁５０Ａには、反射鏡５７で反射されて感光体ドラム６１の表面に向かう光ビームＢ１〜Ｂ４を通過させる４つの露光口５０１〜５０４が前後方向に並んで形成されている。
【００３３】
図２に示すように、光走査装置５では、光源装置５１２，５１３から出射された光ビームＢ２，Ｂ３は、第１シリンドリカルレンズ５３を通過して、ポリゴンミラー５４で主走査方向に偏向される。また、光源装置５１１，５１４から出射された光ビームＢ１，Ｂ４は、反射鏡５２で反射されて進路をポリゴンミラー５４に向けた後、第１シリンドリカルレンズ５３を通過して、ポリゴンミラー５４で主走査方向に偏向される。そして、図３に示すように、ポリゴンミラー５４で偏向された光ビームＢ１〜Ｂ４は、ｆθレンズ５５と第２シリンドリカルレンズ５６を通過し、感光体ドラム６１の表面を走査露光する。
【００３４】
次に、光源装置５１の詳細な構成について説明する。４つの光源装置５１（５１１〜５１４）は、略同様の構成となっている。
図４（ａ）に示すように、光源装置５１は、光源の一例としての半導体レーザ１１０と、カップリングレンズ１２０と、回路基板１３０と、ホルダ１４０とを主に備えている。
【００３５】
半導体レーザ１１０は、複数、具体的には、２つのレーザ光を出射する装置である。図４（ｂ）に示すように、半導体レーザ１１０は、レーザ光を出射する２つの発光部１１１Ａ，１１１Ｂを有するチップ１１１と、外装としてのパッケージ１１２と、複数の端子１１３（図５参照）とを主に有している。なお、参照する図面においては、チップ１１１の大きさや、発光部１１１Ａ，１１１Ｂの大きさおよび間隔、光の間隔などを誇張して示している。
【００３６】
パッケージ１１２は、略円筒状をなしており、チップ１１１が収容されるカバー部１１２Ａと、カバー部１１２Ａよりも大径のマウント部１１２Ｂとを主に有している。マウント部１１２Ｂは、その外周面に、半導体レーザ１１０の光軸方向に延びる凹部１１２Ｃと、２つの切欠部１１２Ｄとを有している。また、カバー部１１２Ａには、レーザ光が通過する窓１１２Ｅが設けられている。ここで、「光軸方向」とは、窓１１２Ｅに直交する方向である。
【００３７】
凹部１１２Ｃは、平面視略Ｕ字状に形成され、切欠部１１２Ｄは、平面視略Ｖ字状に形成されている。２つの切欠部１１２Ｄは、それぞれが凹部１１２Ｃに対してマウント部１１２Ｂの周方向に９０°ずれた位置で、チップ１１１を挟んで互いに対向するように形成されている。なお、本実施形態では、２つの切欠部１１２Ｄが並ぶ方向と、２つの発光部１１１Ａ，１１１Ｂが並ぶ方向とが略一致しているものとする。
【００３８】
図４（ａ）に示すように、半導体レーザ１１０は、パッケージ１１２のマウント部１１２Ｂがホルダ１４０の光源保持部１４２に形成された貫通穴１４２Ａに圧入されていることで、ホルダ１４０に固定されている。
【００３９】
カップリングレンズ１２０は、半導体レーザ１１０から出射された２つのレーザ光をそれぞれ光ビームＢ１１，Ｂ１２に変換するレンズである。カップリングレンズ１２０は、半導体レーザ１１０に対して光軸や焦点位置などを調整した上で、ホルダ１４０のレンズ保持部１４３に光硬化性樹脂１５０により接着された状態で固定されている。
【００４０】
図５に示すように、回路基板１３０は、半導体レーザ１１０に電力を供給するための図示しない回路が形成された矩形のプリント基板である。回路基板１３０は、半導体レーザ１１０の端子１１３がスルーホールに通されて回路に接続されることで、半導体レーザ１１０と接続されている。回路基板１３０は、ネジ１６０が、当該回路基板１３０に形成された貫通穴１３１に通されて、ホルダ１４０の光源保持部１４２に形成されたネジ穴１４２Ｂに締結されることで、ホルダ１４０に固定されている。
【００４１】
ホルダ１４０は、半導体レーザ１１０、カップリングレンズ１２０および回路基板１３０を保持する部材であり、アルミニウム合金などの金属からなる板材を板金加工するなどして形成されている。ホルダ１４０は、フレーム５０に固定される固定部１４１と、半導体レーザ１１０と回路基板１３０を保持する光源保持部１４２と、カップリングレンズ１２０を保持するレンズ保持部１４３とを主に有している。
【００４２】
固定部１４１は、ホルダ１４０の底壁を構成する部分であり、長手方向の両端部に形成された２つの固定穴１４１Ａと、略中央に形成された位置決め穴１４１Ｂと、半導体レーザ１１０の窓１１２Ｅ側から見た左端部に形成された位置決め凹部１４１Ｃとを有している。
【００４３】
固定穴１４１Ａは、上下方向に貫通した穴であり、ホルダ１４０をフレーム５０に固定するための締結部材の一例としてのネジ５８が挿通される。
【００４４】
位置決め穴１４１Ｂは、上下方向に貫通した穴であり、位置決め凹部１４１Ｃは、上下方向に貫通するとともに図示左側が開放された切欠状の凹部である。ホルダ１４０がフレーム５０に組み付けられたとき、位置決め穴１４１Ｂには、フレーム５０に形成された位置決め凸部５０Ｄが係合し、位置決め凹部１４１Ｃには、フレーム５０に形成された位置決め凸部５０Ｅが係合する。これにより、ホルダ１４０のフレーム５０に対する位置が大まかに決まるようになっている。
【００４５】
図６に示すように、固定部１４１は、第１被支持部１４０Ａおよび第２被支持部１４０Ｂを含んでいる。ここで、図６は、半導体レーザ１１０が圧入された状態のホルダ１４０を、半導体レーザ１１０の窓１１２Ｅ側から見た図である。
【００４６】
第１被支持部１４０Ａおよび第２被支持部１４０Ｂは、半導体レーザ１１０の光軸方向と直交する方向、具体的には、上下方向で、フレーム５０の支持壁５０Ａの上面（後述するホルダ支持部５０Ｆ）に支持される部分である。本実施形態において、第１被支持部１４０Ａは、固定部１４１の図示右端部として構成され、第２被支持部１４０Ｂは、固定部１４１の図示左端部として構成されている。前記した固定穴１４１Ａは、第１被支持部１４０Ａおよび第２被支持部１４０Ｂの略中央に設けられている。
【００４７】
第１被支持部１４０Ａと第２被支持部１４０Ｂは、半導体レーザ１１０の光軸方向から見た、半導体レーザ１１０の中心１１０Ｃから異なる方向に略等距離離れた位置に設けられている。詳しく説明すると、第１被支持部１４０Ａは、半導体レーザ１１０に対して図示右斜め下方に設けられ、第２被支持部１４０Ｂは、半導体レーザ１１０に対して図示左斜め下方に設けられている。そして、第１被支持部１４０Ａと第２被支持部１４０Ｂは、半導体レーザ１１０の光軸方向から見て、中心１１０Ｃから第１被支持部１４０Ａまでの距離と、中心１１０Ｃから第２被支持部１４０Ｂまでの距離とが略等距離となるように設けられている。
【００４８】
さらに説明すると、第１被支持部１４０Ａと第２被支持部１４０Ｂは、半導体レーザ１１０の光軸方向から見て、第１被支持部１４０Ａの底面と第２被支持部１４０Ｂの底面の両方に接する直線Ｌ２に直交し、かつ、半導体レーザ１１０の中心１１０Ｃを通る直線Ｌ３に対して、略対称に設けられている。また、２つの固定穴１４１Ａも、直線Ｌ３に対して略対称に設けられている。さらに言えば、第１被支持部１４０Ａと第２被支持部１４０Ｂは、直線Ｌ３から図示左右方向に略等距離離れた位置に設けられている。
【００４９】
図５に示すように、光源保持部１４２は、固定部１４１の図示後端中央付近から上方に延びる部分であり、略中央に形成された貫通穴１４２Ａと、貫通穴１４２Ａを挟むように形成された２つのネジ穴１４２Ｂとを有している。
【００５０】
貫通穴１４２Ａは、半導体レーザ１１０のパッケージ１１２が圧入される略円形の穴である。貫通穴１４２Ａの縁には、半導体レーザ１１０から出射されるレーザ光の進行方向に向かって突出した略円筒状の縁取り部１４２Ｃが形成されている。また、貫通穴１４２Ａは、その内周面に、当該内周面から貫通穴１４２Ａの中央に向けて突出する凸部１４２Ｄを有している。
【００５１】
凸部１４２Ｄは、半導体レーザ１１０の光軸方向に延びている。図６に示すように、凸部１４２Ｄは、貫通穴１４２Ａの内周面のうち、最も下側の部分から図示反時計回りに所定の角度ずれた位置において、貫通穴１４２Ａの中心に向かって突出するように設けられている。凸部１４２Ｄは、貫通穴１４２Ａに圧入された半導体レーザ１１０の凹部１１２Ｃと係合している。
【００５２】
図５に戻り、ホルダ１４０は、固定部１４１の図示前端中央付近から上方に延びる接続部１４４をさらに有しており、レンズ保持部１４３は、当該接続部１４４の上端から図示前方に延びるように設けられている。レンズ保持部１４３は、その上面に、半導体レーザ１１０の光軸方向に延びる溝１４３Ａを有している。溝１４３Ａは、カップリングレンズ１２０をレンズ保持部１４３に固定する接着剤としての光硬化性樹脂１５０が配置される部分である。
【００５３】
ホルダ１４０は、固定部１４１の第１被支持部１４０Ａおよび第２被支持部１４０Ｂの少なくとも一方とフレーム５０のホルダ支持部５０Ｆとの間に、少なくとも１つの間隔調整部材５９が配置された状態で、固定穴１４１Ａを通るネジ５８によってフレーム５０に固定されている。
【００５４】
ホルダ支持部５０Ｆは、フレーム５０の支持壁５０Ａの上面のうち、ホルダ１４０を支持する部分である。図示は省略するが、フレーム５０は、当該フレーム５０に固定される４つの光源装置５１（５１１〜５１４）に対応して、４つのホルダ支持部５０Ｆを有している。
【００５５】
各ホルダ支持部５０Ｆには、平面視略円形の凹部５０Ｇが、ホルダ１４０の第１被支持部１４０Ａおよび第２被支持部１４０Ｂに対応して、図示左右方向に所定の間隔をあけて２つ形成されている。凹部５０Ｇは、ホルダ支持部５０Ｆ上における間隔調整部材５９を配置するための目印となる部分であり、その内側に間隔調整部材５９を配置可能なサイズで、言い換えると、その内側に間隔調整部材５９を置くことができるサイズで形成されている。凹部５０Ｇの底面の略中央には、ネジ５８が締結されるネジ穴５０Ｈが形成されている。
【００５６】
間隔調整部材５９は、第１被支持部１４０Ａまたは第２被支持部１４０Ｂと、ホルダ支持部５０Ｆとの間の間隔を調整する部材であり、略円形をなす薄い板状の部材として形成されている。間隔調整部材５９は、その中央にネジ５８が通る上下方向に貫通した穴５９Ａを有している。
【００５７】
本実施形態において、間隔調整部材５９は、その厚みが異なるものが複数準備されている。一例として、間隔調整部材５９は、厚みが、５０＋Ｄ１［μｍ］、１００＋Ｄ１［μｍ］、２００＋Ｄ１［μｍ］、４００＋Ｄ１［μｍ］、５００＋Ｄ１［μｍ］、６００＋Ｄ１［μｍ］などのものを準備することができる。ここで、Ｄ１（図７参照）は、ホルダ支持部５０Ｆに形成された凹部５０Ｇの深さである。このように、間隔調整部材５９の厚みにＤ１を加えているのは、本実施形態においては、間隔調整部材５９が、ホルダ支持部５０Ｆの凹部５０Ｇ内に配置されるからである。
【００５８】
次に、光走査装置５の製造方法、より詳しくは、光走査装置５の製造工程中における、光源装置５１の組み立てとホルダ１４０のフレーム５０への組み付けの一例について説明する。
【００５９】
まず、半導体レーザ１１０と回路基板１３０をホルダ１４０に組み付ける工程を実行する。
具体的には、図５および図６に示すように、半導体レーザ１１０の凹部１１２Ｃと、光源保持部１４２に形成された貫通穴１４２Ａの凸部１４２Ｄの位置を合わせ、凹部１１２Ｃと凸部１４２Ｄを係合させながら、半導体レーザ１１０を光源保持部１４２の貫通穴１４２Ａに圧入して固定する。その後、回路基板１３０をネジ１６０により光源保持部１４２に固定する。
【００６０】
次に、ホルダ支持部５０Ｆと半導体レーザ１１０の２つの発光部１１１Ａ，１１１Ｂ（図４（ｂ）参照）を結んだ直線とがなす角度に相関する値を測定する工程を実行する。
具体的には、図６に示すように、半導体レーザ１１０が固定されたホルダ１４０を正面から撮影した画像を取得する。そして、ホルダ支持部５０Ｆのホルダ１４０を支持する面に相当する基準面５０Ｓと、半導体レーザ１１０の２つの発光部１１１Ａ，１１１Ｂを結んだ直線に相当する２つの切欠部１１２Ｄの底部同士を結んだ直線Ｌ１とがなす角度θを測定する。
【００６１】
次に、測定した角度θの値に基づいて間隔調整部材５９の配置場所と厚みを決定する工程を実行する。
具体的には、角度θが調整の目標となる目標角度θＴよりも小さい場合には、第１被支持部１４０Ａとホルダ支持部５０Ｆとの間に間隔調整部材５９を配置すると決定し、測定角度θと目標角度θＴとの差から配置する間隔調整部材５９の厚みを決定する。一方、角度θが目標角度θＴよりも大きい場合には、第２被支持部１４０Ｂとホルダ支持部５０Ｆとの間に間隔調整部材５９を配置すると決定し、測定角度θと目標角度θＴとの差から配置する間隔調整部材５９の厚みを決定する。
【００６２】
そして、決定した後は、例えば、第１被支持部１４０Ａまたは第２被支持部１４０Ｂに、間隔調整部材５９の種類を示す数字などを書き込んだり、間隔調整部材５９の種類を示す数字などが印刷されたシールを貼り付けたりしてマークをする。これにより、マークの数字などによって間隔調整部材５９の種類を特定することができるとともに、マークされていることでマークされた側に間隔調整部材５９を配置するということがわかる。
【００６３】
次に、決定した間隔調整部材５９の配置場所と厚みに基づいて実際に間隔調整部材５９を複数の中から選択する工程を実行する。
具体的には、第１被支持部１４０Ａまたは第２被支持部１４０Ｂのマークに基づいて、対応する厚みの間隔調整部材５９を選択する。
【００６４】
次に、選択した間隔調整部材５９を第１被支持部１４０Ａまたは第２被支持部１４０Ｂとホルダ支持部５０Ｆとの間に配置する工程を実行する。
具体的には、図５に示すように、間隔調整部材５９を、ホルダ支持部５０Ｆ上の、第１被支持部１４０Ａおよび第２被支持部１４０Ｂのうちマークがされている方に対応する凹部５０Ｇの中に配置する。そして、ホルダ１４０をホルダ支持部５０Ｆの上に載置する。
【００６５】
次に、ホルダ１４０をフレーム５０に固定する工程を実行する。
具体的には、ネジ５８を、第１被支持部１４０Ａおよび第２被支持部１４０Ｂの固定穴１４１Ａに通して、ホルダ支持部５０Ｆのネジ穴５０Ｈに締結する。このとき、間隔調整部材５９が配置された側については、ネジ５８が間隔調整部材５９の穴５９Ａにも通されるので、第１被支持部１４０Ａまたは第２被支持部１４０Ｂとフレーム５０との間で、間隔調整部材５９もホルダ１４０とともにフレーム５０に固定される。
【００６６】
そして、カップリングレンズ１２０をホルダ１４０に組み付ける工程を実行する。
具体的には、図４（ａ）に示すように、図示しない位置調整用ロボットのアームなどによりカップリングレンズ１２０を保持し、半導体レーザ１１０の図示前側に配置する。そして、半導体レーザ１１０からレーザ光を出射して、カップリングレンズ１２０を通過した光ビームＢ１１，Ｂ１２を検出しながら、半導体レーザ１１０に対するカップリングレンズ１２０の光軸や焦点位置を調整する。そして、カップリングレンズ１２０の位置が確定したら、光硬化性樹脂１５０をレンズ保持部１４３の溝１４３Ａに配置し、光を照射して光硬化性樹脂１５０を硬化させる。
【００６７】
以上のような製造方法では、図７（ａ），（ｂ）に示すように、測定角度θ１が目標角度θＴよりも小さい場合には、第１被支持部１４０Ａとホルダ支持部５０Ｆとの間に間隔調整部材５９が配置されることとなる。これにより、基準面５０Ｓと直線Ｌ１とがなす角度をθ１から目標角度θＴに調整することができる。その結果、光源装置５１から出射される２つの光ビームＢ１１，Ｂ１２の感光体ドラム６１の表面での副走査方向のピッチを、調整前のピッチＰ１から、当該ピッチＰ１よりも大きい目標のピッチＰＴに調整することができる。
【００６８】
一方、図８（ａ），（ｂ）に示すように、測定角度θ２が目標角度θＴよりも大きい場合には、第２被支持部１４０Ｂとホルダ支持部５０Ｆとの間に間隔調整部材５９が配置されることとなる。これにより、基準面５０Ｓと直線Ｌ１とがなす角度をθ２から目標角度θＴに調整することができる。その結果、光源装置５１から出射される２つの光ビームＢ１１，Ｂ１２の感光体ドラム６１の表面での副走査方向のピッチを、調整前のピッチＰ２から、当該ピッチＰ２よりも小さい目標のピッチＰＴに調整することができる。
【００６９】
以上説明した本実施形態によれば、ホルダ１４０の第１被支持部１４０Ａや第２被支持部１４０Ｂとフレーム５０のホルダ支持部５０Ｆとの間に間隔調整部材５９を配置することで、ホルダ支持部５０Ｆに対する半導体レーザ１１０の光軸回りの角度をθ１やθ２から目標角度θＴに調整できるので、光源装置５１から出射される２つの光ビームの感光体ドラム６１の表面での副走査方向のピッチを調整することができる。これにより、フレーム５０やホルダ１４０の構成を複雑化することなく、２つの光ビームの感光体ドラム６１の表面での副走査方向のピッチを調整することができる。
【００７０】
また、本実施形態の製造方法では、ホルダ支持部５０Ｆと半導体レーザ１１０とがなす角度θの測定と、ホルダ１４０のフレーム５０への固定とを個別に行うことができるので、ホルダをフレームに固定するときに同時に２つの光ビームのピッチを調整するのに比べて、光走査装置５の製造効率を高めることができる。
【００７１】
また、本実施形態では、半導体レーザ１１０の光軸方向から見て、第１被支持部１４０Ａと第２被支持部１４０Ｂが半導体レーザ１１０の中心１１０Ｃから異なる方向に等距離離れているので、第１被支持部１４０Ａとホルダ支持部５０Ｆとの間に間隔調整部材５９を配置した場合の調整量と、第２被支持部１４０Ｂとホルダ支持部５０Ｆとの間に間隔調整部材５９を配置した場合の調整量とを略同じにすることができる。これにより、第１被支持部１４０Ａ側と第２被支持部１４０Ｂ側とで間隔調整部材５９を共通化することができるとともに、光ビームのピッチの調整を容易に行うことができる。
【００７２】
また、ホルダ１４０が、第１被支持部１４０Ａおよび第２被支持部１４０Ｂに設けられた固定穴１４１Ａを通るネジ５８によってフレーム５０に固定されているので、ネジ５８によってホルダ１４０をフレーム５０に固定したときに、第１被支持部１４０Ａまたは第２被支持部１４０Ｂと、間隔調整部材５９と、ホルダ１４０固定面とを互いに押し当て合うことができる。これにより、間隔調整部材５９の凹部５０Ｇから突出している部分の厚み分、精度良くピッチの調整を行うことができる。
【００７３】
また、間隔調整部材５９がネジ５８が通る穴５９Ａを有するので、ネジ５８によりホルダ１４０をフレーム５０に固定したときに、間隔調整部材５９の穴５９Ａにネジ５８が通ることで、間隔調整部材５９の位置ずれを抑制することができる。また、これにより、調整後のピッチの精度を良好に保つことができる。
【００７４】
また、ホルダ支持部５０Ｆに間隔調整部材５９が配置される凹部５０Ｇが形成されているので、ホルダ支持部５０Ｆ上での間隔調整部材５９を配置する位置が容易に決まる。これにより、ピッチの調整を容易に行うことができるとともに、ピッチ調整の精度を向上させることができる。また、間隔調整部材５９の位置ずれをより抑制することができる。
【００７５】
また、半導体レーザ１１０は、パッケージ１１２がホルダ１４０に形成された貫通穴１４２Ａに圧入されているので、簡単な構成で半導体レーザ１１０とホルダ１４０を組み付けることができる。
【００７６】
また、半導体レーザ１１０のパッケージ１１２の凹部１１２Ｃとホルダ１４０の貫通穴１４２Ａの凸部１４２Ｄが係合するので、半導体レーザ１１０をホルダ１４０に組み付けたときに、半導体レーザ１１０の姿勢、すなわち、調整前の光ビームのピッチを大まかに規定することができる。これにより、調整前の光ビームのピッチが目標のピッチＰＴから大きくずれることが抑制されるので、最小限の種類の間隔調整部材５９を準備しておくだけで、光ビームのピッチを調整することができる。
【００７７】
また、ホルダ１４０が金属製であるので、半導体レーザ１１０で生じた熱をホルダ１４０によって放熱することができる。
【００７８】
また、ホルダ１４０が回路基板１３０を保持するので、予め、ホルダ１４０上で半導体レーザ１１０と回路基板１３０とを接続させた状態で、ホルダ１４０をフレーム５０に固定することができる。これにより、ホルダをフレームに固定した後に半導体レーザと回路基板とを接続する場合に比べて、半導体レーザ１１０の位置ずれ、すなわち、調整後のピッチのずれを抑制することができる。
【００７９】
次に、発明の他の実施形態について説明する。なお、本実施形態では、前記した実施形態と同様の構成要素については同一符号を付して適宜説明を省略し、前記した実施形態と異なる点について詳細に説明する。
図９に示すように、光源装置５１は、半導体レーザ１１０と、カップリングレンズ１２０と、回路基板１３０と、ホルダ２４０とを主に備えている。
【００８０】
ホルダ２４０は、前記した実施形態のホルダ１４０と同様、半導体レーザ１１０、カップリングレンズ１２０および回路基板１３０を保持する部材であり、金属からなる板材を板金加工するなどして形成されている。ホルダ２４０は、第１被支持部２４０Ａおよび第２被支持部２４０Ｂと、光源保持部１４２と、レンズ保持部１４３と、２つの第１接続部２４５と、第２接続部２４６とを主に有している。
【００８１】
第１接続部２４５は、第１被支持部２４０Ａや第２被支持部２４０Ｂと光源保持部１４２とを接続する部分であり、光源保持部１４２の図示左右両端の上部から左右方向外側に向けて延びるように設けられている。また、第２接続部２４６は、光源保持部１４２とレンズ保持部１４３を接続する部分であり、光源保持部１４２の図示前端中央付近から前方に延びた後、上方に屈曲して延びるように設けられている。レンズ保持部１４３は、第２接続部２４６の図示前端部の上端から前方に延びるように設けられている。
【００８２】
第１被支持部２４０Ａおよび第２被支持部２４０Ｂは、上下方向でフレーム５０のホルダ支持部５０Ｌに支持される部分であり、第１接続部２４５の下端から図示前方に延びるように設けられている。第１被支持部２４０Ａには、固定穴１４１Ａと位置決め穴１４１Ｂが形成され、第２被支持部２４０Ｂには、固定穴１４１Ａと位置決め凹部１４１Ｃが形成されている。
【００８３】
図１０（ａ）に示すように、第１被支持部２４０Ａと第２被支持部２４０Ｂは、半導体レーザ１１０の光軸方向から見て、中心１１０Ｃから第１被支持部２４０Ａまでの距離と、中心１１０Ｃから第２被支持部２４０Ｂまでの距離とが略等距離となるように設けられている。また、第１被支持部２４０Ａと第２被支持部２４０Ｂは、半導体レーザ１１０の光軸方向から見て、第１被支持部２４０Ａの底面と第２被支持部２４０Ｂの底面の両方に接する平面ＰＬ１に直交し、かつ、半導体レーザ１１０の中心１１０Ｃを通る直線Ｌ４に対して、略対称に設けられている。
【００８４】
さらに、本実施形態において、第１被支持部２４０Ａと第２被支持部２４０Ｂは、第１被支持部２４０Ａの底面と第２被支持部２４０Ｂの底面の両方に接する平面ＰＬ１が半導体レーザ１１０を通る位置に設けられている。より詳しくは、第１被支持部２４０Ａと第２被支持部２４０Ｂは、平面ＰＬ１が半導体レーザ１１０の中心１１０Ｃを通る位置に設けられている。
【００８５】
図９に戻り、フレーム５０は、支持壁５０Ａの上面に、ホルダ２４０を支持するための２つのホルダ支持部５０Ｌを有している。ホルダ支持部５０Ｌは、第１被支持部２４０Ａおよび第２被支持部２４０Ｂに対応する位置から上方に突出するように設けられている。各ホルダ支持部５０Ｌの上面には、図示左右方向の内側にネジ穴５０Ｈが形成されており、図示左右方向の外側に位置決め凸部５０Ｄ，５０Ｅが形成されている。
【００８６】
図１０（ｂ）に示すように、ホルダ２４０は、第１被支持部２４０Ａおよび第２被支持部２４０Ｂの少なくとも一方とホルダ支持部５０Ｌとの間に、少なくとも１つの間隔調整部材５９が配置された状態で、固定穴１４１Ａを通るネジ５８によってフレーム５０に固定されている。
【００８７】
以上説明した本実施形態によれば、前記した実施形態と同様の作用効果を得ることができる。
また、第１被支持部２４０Ａと第２被支持部２４０Ｂは、平面ＰＬ１が半導体レーザ１１０の中心を通る位置に設けられているので、第１被支持部２４０Ａや第２被支持部２４０Ｂとホルダ支持部５０Ｌとの間に間隔調整部材５９を配置して、基準面５０Ｓと直線Ｌ１とがなす角度を目標角度θＴに調整したときの、光軸方向から見た半導体レーザ１１０の中心の位置が変わりにくくなっている。これにより、ピッチ調整の精度をより向上させることができる。
【００８８】
以上、発明の実施形態について説明したが、本発明は前記実施形態に限定されるものではない。具体的な構成については、下記のように発明の趣旨を逸脱しない範囲で適宜変更が可能である。
【００８９】
前記実施形態では、ホルダ１４０をフレーム５０に固定した後に、カップリングレンズ１２０をホルダ１４０に組み付けたが、これに限定されるものではない。例えば、半導体レーザ１１０、回路基板１３０およびカップリングレンズ１２０をホルダ１４０に組み付けて光源装置５１を完成させた後に、ホルダ１４０をフレーム５０に固定してもよい。
【００９０】
なお、ホルダ１４０はカップリングレンズ１２０を保持するように構成されているので、前記したように、光源装置５１を完成させた後にホルダ１４０をフレーム５０に固定するという工程を実行することが可能となる。これにより、ホルダ１４０をフレーム５０に固定する前に半導体レーザ１１０に対するカップリングレンズ１２０の光軸や焦点位置の調整を行うことができるので、ホルダをフレームに固定した後、カップリングレンズをホルダに組み付ける際に光軸や焦点位置の調整を行う場合に比べて、調整のための設備をコンパクト化することができるとともに、調整自体も容易に行うことができる。
【００９１】
前記実施形態では、ホルダ支持部５０Ｆと半導体レーザ１１０の２つの発光部１１１Ａ，１１１Ｂを結んだ直線とがなす角度に相関する値を測定する工程として、図６に示したように、半導体レーザ１１０が固定されたホルダ１４０を正面から撮影した画像を取得し、画像から基準面５０Ｓと直線Ｌ１とがなす角度θを測定する方法を例示したが、これに限定されるものではない。例えば、先にカップリングレンズをホルダに組み付けておき、その後、半導体レーザからレーザ光を出射してカップリングレンズを通過した光ビームを検出し、調整前の２つの光ビームの像面での副走査方向のピッチを測定してもよい。
【００９２】
なお、前記実施形態では、２つの発光部１１１Ａ，１１１Ｂを有する半導体レーザ１１０を例示したが、発光部は、３つ以上であってもよい。
【００９３】
前記実施形態では、ホルダ１４０が、半導体レーザ１１０だけでなく、カップリングレンズ１２０や回路基板１３０を保持する構成であったが、これに限定されるものではない。例えば、カップリングレンズや回路基板は、ホルダではなく、フレームに保持される構成であってもよい。
【００９４】
前記実施形態では、ホルダ１４０が金属製であったが、これに限定されず、例えば、ホルダは、樹脂などの金属以外の材料から形成されていてもよい。
【００９５】
前記実施形態では、半導体レーザ１１０のパッケージ１１２が凹部１１２Ｃを有し、ホルダ１４０が貫通穴１４２Ａの内周面に凸部１４２Ｄを有し、半導体レーザ１１０をホルダ１４０の貫通穴１４２Ａに圧入して固定したときに凹部１１２Ｃと凸部１４２Ｄが係合する構成であったが、これに限定されるものではない。例えば、半導体レーザがホルダに対して動かないように固定されるのであれば、そのような凹部と凸部を備えない構成であってもよい。
【００９６】
前記実施形態では、半導体レーザ１１０がホルダ１４０の貫通穴１４２Ａに圧入されて固定されていたが、これに限定されず、半導体レーザが圧入以外の方法でホルダに固定される構成であってもよい。
【００９７】
前記実施形態では、ホルダ支持部５０Ｆに間隔調整部材５９が配置される凹部５０Ｇが形成されていたが、これに限定されず、ホルダ支持部５０Ｆは、凹部５０Ｇが形成されていない構成であってもよい。また、前記した他の実施形態では、ホルダ支持部５０Ｌに間隔調整部材５９が配置される凹部が形成されていなかったが、これに限定されず、ホルダ支持部５０Ｌは、間隔調整部材５９が配置される凹部が形成されている構成であってもよい。
【００９８】
前記実施形態では、間隔調整部材５９が、ネジ５８が通る穴５９Ａを有していたが、これに限定されず、例えば、間隔調整部材は、穴を備えない構成であってもよい。この場合、第１被支持部や第２被支持部とホルダ支持部との間に配置された間隔調整部材は、ホルダがフレームに固定されたときに、第１被支持部や第２被支持部とホルダ支持部との間で挟まれることでフレームに固定されることとなる。
【００９９】
前記実施形態では、間隔調整部材５９を、第１被支持部１４０Ａおよび第２被支持部１４０Ｂのうちの一方と、ホルダ支持部５０Ｆとの間に１つ配置したが、これに限定されるものではない。例えば、準備されている間隔調整部材の厚みの種類などによっては、間隔調整部材を、第１被支持部または第２被支持部と、ホルダ支持部との間に２つ以上重ねて配置してもよい。また、間隔調整部材を、第１被支持部とホルダ支持部との間、および、第２被支持部とホルダ支持部との間の両方に配置してもよい。
【０１００】
前記実施形態では、ホルダ１４０とフレーム５０が第１被支持部１４０Ａおよび第２被支持部１４０Ｂに設けられた固定穴１４１Ａを通る締結部材としてのネジ５８によって固定される構成であったが、これに限定されるものではない。例えば、ホルダとフレームは、押圧部材による固定や、接着など、締結部材以外によって固定される構成であってもよい。
【０１０１】
前記実施形態では、第１被支持部１４０Ａと第２被支持部１４０Ｂが半導体レーザ１１０の中心１１０Ｃから異なる方向に等距離離れて設けられた略対称な構成であったが、これに限定されるものではない。例えば、ホルダは、半導体レーザの光軸から第１被支持部までの距離と、半導体レーザの光軸から第２被支持部までの距離とが異なる、非対称な構成であってもよい。この場合、間隔調整部材は、第１被支持部とホルダ支持部との間に配置するものと、第２被支持部とホルダ支持部との間に配置するものとの間で、厚みの種類や寸法、形状などが異なっていてもよい。
【０１０２】
前記実施形態では、画像形成装置として、用紙Ｓにカラー画像を形成可能に構成されたカラーレーザプリンタ１を例示したが、これに限定されず、例えば、用紙にモノクロ画像のみを形成可能に構成されたプリンタであってもよい。
【０１０３】
前記実施形態では、光源として半導体レーザ１１０を例示したが、光源は、複数の発光部を有し、光走査装置に使用可能なものであれば、半導体レーザ以外の光源であってもよい。
【符号の説明】
【０１０４】
１      カラーレーザプリンタ
５      光走査装置
５０    フレーム
５０Ｆ  ホルダ支持部
５０Ｇ  凹部
５４    ポリゴンミラー
５５    ｆθレンズ
５６    第２シリンドリカルレンズ
５７    反射鏡
５８    ネジ
５９    間隔調整部材
５９Ａ  穴
６１    感光体ドラム
１１０  半導体レーザ
１１０Ｃ  中心
１１１Ａ  発光部
１１１Ｂ  発光部
１１２  パッケージ
１１２Ｃ  凹部
１２０  カップリングレンズ
１３０  回路基板
１４０  ホルダ
１４０Ａ  第１被支持部
１４０Ｂ  第２被支持部
１４２Ａ  貫通穴
１４２Ｄ  凸部
【図１】
2017126006.tif 000003
【図２】
2017126006.tif 000004
【図３】
2017126006.tif 000005
【図４】
2017126006.tif 000006
【図５】
2017126006.tif 000007
【図６】
2017126006.tif 000008
【図７】
2017126006.tif 000009
【図８】
2017126006.tif 000010
【図９】
2017126006.tif 000011
【図１０】
2017126006.tif 000012